(57)【要約】【課題】パーツカタログを閲覧する際のユーザの手間を大幅に軽減することができるパーツカタログ表示システムおよびその制御方法を提供すること目的とする。【解決手段】製品全体画像、当該製品を構成する各部品をあらわす複数の部品画像、各部品について組付け状態をあらわす部品組付画像、および、それぞれの部品の組付位置をあらわす部品組付位置情報を記憶したパーツカタログデータベースに基づき、視覚的に立体的なパーツカタログを表示するパーツカタログ表示システムにおいて、製品全体画像の表示画面中に、指定領域を表示し、当該指定領域に含まれる部品について、部品画像および部品組付画像を表示する。【選択図】        図１
2007316832.tif 000002
【特許請求の範囲】
【請求項１】
製品全体画像、当該製品を構成する各部品をあらわす複数の部品画像、各部品について組付け状態をあらわす部品組付画像、および、それぞれの部品の組付位置をあらわす部品組付位置情報を記憶したパーツカタログデータベースに基づき、視覚的に立体的なパーツカタログを表示するパーツカタログ表示システムにおいて、
製品全体画像の表示画面中に、指定領域を表示し、当該指定領域に含まれる部品について、部品画像および部品組付画像を表示するようにしたことを特徴とするパーツカタログ表示システム。
【請求項２】
前記指定領域は、大きさがあらかじめ設定された少なくとも１つの矩形領域を、前記表示画面中で任意の位置へ移動したものであることを特徴とする請求項１記載のパーツカタログ表示システム。
【請求項３】
前記製品全体画像は、前記表示画面中で所定の倍率で変倍表示されることを特徴とする請求項１または請求項２記載のパーツカタログ表示システム。
【請求項４】
前記製品全体画像を印刷した製品全体画像印刷用紙と、
前記製品全体画像印刷用紙を撮影する撮影手段をさらに備え、
前記撮影手段が撮影した画面の矩形領域を、前記指定領域として適用することを特長とする請求項１又は請求項２または請求項３記載のパーツカタログ表示システム。
【請求項５】
前記製品全体画像印刷用紙には、所定パターンからなる地紋を背景とし、前記製品全体画像の線画が印刷され、
前記撮影手段が撮影した画面の矩形領域は、当該画面に含まれる前記地紋の画像に基づいて、その座標が判断されることを特長とする請求項４記載のパーツカタログ表示システム。
【請求項６】
前記製品全体画像印刷用紙には、所定パターンのみが印刷され、
前記撮影手段が撮影した画面の矩形領域は、当該画面に含まれる前記パターンの画像に基づいて、その座標が判断されることを特長とする請求項４記載のパーツカタログ表示システム。
【請求項７】
前記パーツカタログデータベースと、
前記パーツカタログデータベースから指定された領域に含まれる部品を検索する部品検索手段を備えたサーバ装置と、
前記パーツカタログを表示する表示手段と、
前記指定領域を指定する指定手段を備えたクライアント装置からなり、
前記サーバ装置とクライアント装置とが通信により必要な情報をやりとりすることを特長とする請求項１または請求項２または請求項３記載のパーツカタログ表示システム。
【請求項８】
前記パーツカタログデータベースと、
前記パーツカタログデータベースから指定された領域に含まれる部品を検索する部品検索手段を備えたサーバ装置と、
前記パーツカタログを表示する表示手段と、
前記撮影手段を備えたクライアント装置からなり、
前記サーバ装置とクライアント装置とが通信により必要な情報をやりとりすることを特長とする請求項４または請求項５または請求項６記載のパーツカタログ表示システム。
【請求項９】
製品全体画像、当該製品を構成する各部品をあらわす複数の部品画像、各部品について組付け状態をあらわす部品組付画像、および、それぞれの部品の組付位置をあらわす部品組付位置情報を記憶したパーツカタログデータベースに基づき、視覚的に立体的なパーツカタログを表示するパーツカタログ表示システムの制御方法において、
製品全体画像の表示画面中に、指定領域を表示し、当該指定領域に含まれる部品について、部品画像および部品組付画像を表示するようにしたことを特徴とするパーツカタログ表示システムの制御方法。
【発明の詳細な説明】
【技術分野】
【０００１】
本発明は、製品全体画像、当該製品を構成する各部品をあらわす複数の部品画像、各部品について組付け状態をあらわす部品組付画像、および、それぞれの部品の組付位置をあらわす部品組付位置情報を記憶したパーツカタログデータベースに基づき、視覚的に立体的なパーツカタログを表示するパーツカタログ表示システムおよびその制御方法に関する。
【背景技術】
【０００２】
一般に、指示書・手順書・マニュアル等における分解斜視図等のイラスト図の作成に３Ｄ＿ＣＡＤデータを利用することで、作成の手間を省くことが行われている。
【０００３】
このような文書の一つに、サービスや保守において交換部品の発注等に利用するパーツカタログや部品表がある。これらのパーツカタログや部品表では、交換部品の形状や部品の組み付け位置を図面にて表示し、合わせて部品名称と交換発注時の部品番号を示したものである。カタログにおいては通常、個々の部品は、製品を構成する複数の集合部分（ユニット）単位にまとめて提示される。
【非特許文献１】「3D CADモデルから電子パーツカタログへのテクニカルドキュメントにおける統合型プロセスチェーン」、ITEDO Software GmbH 、[online]、平成１８年４月２４日、
【発明の開示】
【発明が解決しようとする課題】
【０００４】
一方、このようなパーツカタログでは、カタログ自体の表示が立体的であるので、より直感的にユーザが目的の部品にたどり着くことができるようなユーザ・インタフェースが必要である。
【０００５】
例えば、製品の保守担当者が、故障した部品を交換するために部品番号を知りたい場合、当該部品をパーツカタログより検索する必要がある。その際、製品全体画像を表示させて、目的とする部品を組み付けているユニットを指定して、当該ユニット中の部品を指定するというような逐次的な選択方法では、ユーザの操作の手間がかかり、また、部品とユニットとの関係を知っておく必要があり、ユーザの習熟度によっては検索操作が面倒になるおそれがある。
【０００６】
本発明は、かかる実情に鑑みてなされたものであり、パーツカタログを閲覧する際のユーザの手間を大幅に軽減することができるパーツカタログ表示システムおよびその制御方法を提供すること目的とする。
【課題を解決するための手段】
【０００７】
本発明は、製品全体画像、当該製品を構成する各部品をあらわす複数の部品画像、各部品について組付け状態をあらわす部品組付画像、および、それぞれの部品の組付位置をあらわす部品組付位置情報を記憶したパーツカタログデータベースに基づき、視覚的に立体的なパーツカタログを表示するパーツカタログ表示システムにおいて、製品全体画像の表示画面中に、指定領域を表示し、当該指定領域に含まれる部品について、部品画像および部品組付画像を表示するようにしたものである。
【０００８】
また、前記指定領域は、大きさがあらかじめ設定された少なくとも１つの矩形領域を、前記表示画面中で任意の位置へ移動したものである。
【０００９】
また、前記製品全体画像は、前記表示画面中で所定の倍率で変倍表示されるものである。
【００１０】
また、前記製品全体画像を印刷した製品全体画像印刷用紙と、前記製品全体画像印刷用紙を撮影する撮影手段をさらに備え、前記撮影手段が撮影した画面の矩形領域を、前記指定領域として適用するようにしたものである。
【００１１】
また、前記製品全体画像印刷用紙には、所定パターンからなる地紋を背景とし、前記製品全体画像の線画が印刷され、前記撮影手段が撮影した画面の矩形領域は、当該画面に含まれる前記地紋の画像に基づいて、その座標が判断されるものである。
【００１２】
また、前記製品全体画像印刷用紙には、所定パターンのみが印刷され、前記撮影手段が撮影した画面の矩形領域は、当該画面に含まれる前記パターンの画像に基づいて、その座標が判断されるものである。
【００１３】
また、前記パーツカタログデータベースと、前記パーツカタログデータベースから指定された領域に含まれる部品を検索する部品検索手段を備えたサーバ装置と、前記パーツカタログを表示する表示手段と、前記指定領域を指定する指定手段を備えたクライアント装置からなり、前記サーバ装置とクライアント装置とが通信により必要な情報をやりとりするようにしたものである。
【００１４】
また、前記パーツカタログデータベースと、前記パーツカタログデータベースから指定された領域に含まれる部品を検索する部品検索手段を備えたサーバ装置と、前記パーツカタログを表示する表示手段と、前記撮影手段を備えたクライアント装置からなり、前記サーバ装置とクライアント装置とが通信により必要な情報をやりとりするようにしたものである。
【００１５】
また、製品全体画像、当該製品を構成する各部品をあらわす複数の部品画像、各部品について組付け状態をあらわす部品組付画像、および、それぞれの部品の組付位置をあらわす部品組付位置情報を記憶したパーツカタログデータベースに基づき、視覚的に立体的なパーツカタログを表示するパーツカタログ表示システムの制御方法において、製品全体画像の表示画面中に、指定領域を表示し、当該指定領域に含まれる部品について、部品画像および部品組付画像を表示するようにしたものである。
【発明の効果】
【００１６】
したがって、本発明によれば、パーツカタログの表示から、より直感的にユーザが目的の部品にたどり着くことができ、パーツカタログの使い勝手を大幅に向上することができるという効果を得る。
【発明を実施するための最良の形態】
【００１７】
以下、添付図面を参照しながら、本発明の実施の形態を詳細に説明する。
【００１８】
図１は、本発明の一実施例にかかるパーツカタログ表示システムの一例を示している。
【００１９】
このパーツカタログ表示システムは、ネットワークＮＴにより接続されるサーバ装置ＳＶとクライアント装置ＣＬからなるいわゆるサーバ・クライアント形式のシステム構成を持つ。
【００２０】
サーバ装置ＳＶは、カタログデータベース１に蓄積されているデータから部品を検索する部品検索部２と、クライアント装置ＣＬとの間で種々のデータをやりとりするためのサーバインタフェース部３から構成されている。また、カタログデータベース１には、複数の製品についての全体画像データも蓄積されている。
【００２１】
クライアント装置ＣＬは、パーツカタログを表示する画像表示部５と、画像表示部５に表示した画像から所望する部品を含む領域を指定するための領域指定部６と、サーバ装置ＳＶとの間で種々のデータをやりとりするためのクライアントインタフェース部７から構成される。
【００２２】
サーバ装置ＳＶの装置構成の一例を図２に示す。
【００２３】
同図において、ＣＰＵ（中央処理装置）２１は、このサーバ装置ＳＶの動作制御（部品検索部２の動作を含む）を行うものであり、ＲＯＭ（リード・オンリ・メモリ）２２は、ＣＰＵ２１が起動時に実行するプログラムや必要なデータ等を記憶するためのものであり、ＲＡＭ（ランダム・アクセス・メモリ）２３は、ＣＰＵ２１のワークエリア等を構成するためのものである。
【００２４】
キャラクタジェネレータ２４は、図形文字の表示データを発生するためのものであり、時計回路２５は、現在日時情報を出力するためのものであり、ネットワークインターフェース回路２６は、このサーバ装置ＳＶをネットワークＮＴに接続するためのものであり、ネットワーク伝送制御部２７は、ネットワークＮＴを介して、クライアント装置ＣＬとの間で種々のデータをやりとりするための各種所定のプロトコルスイートの通信制御処理を実行するためのものである。
【００２５】
磁気ディスク装置２８は、種々のアプリケーションプログラム、ワークデータ、カタログデータベース１のデータ群、および、ファイルデータなどの種々のデータファイル等を記憶するためのものであり、ＣＲＴ画面表示装置２９は、このサーバ装置ＳＶを操作するための画面を表示するためのものであり、表示制御部３０は、ＣＲＴ画面表示装置２９の表示内容を制御するためのものである。
【００２６】
キーボード装置３１は、このサーバ装置ＳＶに種々のキー操作を行うためのものであり、画面指示装置３２は、ＣＲＴ画面表示装置２９の任意の点を指示する等の操作作業を行うためのものであり、入力制御部３３は、キーボード装置３１および画面指示装置３２の入力情報を取り込む等するためのものである。
【００２７】
これらのＣＰＵ２１、ＲＯＭ２２、ＲＡＭ２３、キャラクタジェネレータ２４、時計回路２５、ネットワーク伝送制御部２７、磁気ディスク装置２８、表示制御部３０、および、入力制御部３３は、内部バス３４に接続されており、これらの各要素間のデータのやりとりは、主としてこの内部バス３４を介して行われる。
【００２８】
クライアント装置ＣＬの装置構成の一例を図３に示す。
【００２９】
同図において、ＣＰＵ（中央処理装置）４１は、このクライアント装置ＣＬの動作制御を行うものであり、ＲＯＭ（リード・オンリ・メモリ）４２は、ＣＰＵ４１が起動時に実行するプログラムや必要なデータ等を記憶するためのものであり、ＲＡＭ（ランダム・アクセス・メモリ）４３は、ＣＰＵ４１のワークエリア等を構成するためのものである。
【００３０】
キャラクタジェネレータ４４は、図形文字の表示データを発生するためのものであり、時計回路４５は、現在日時情報を出力するためのものであり、ネットワークインターフェース回路４６は、このクライアント装置ＣＬをネットワークＮＴに接続するためのものであり、ネットワーク伝送制御部４７は、ネットワークＮＴを介して、サーバ装置ＳＶとの間で種々のデータをやりとりするための各種所定のプロトコルスイートの通信制御処理を実行するためのものである。
【００３１】
磁気ディスク装置４８は、種々のアプリケーションプログラム、ワークデータ、および、ファイルデータなどの種々のデータファイル等を記憶するためのものであり、ＣＲＴ画面表示装置４９は、このクライアント装置ＣＬを操作するための画面を表示するためのものであり、表示制御部５０は、ＣＲＴ画面表示装置４９の表示内容を制御するためのものである。また、このＣＲＴ表示装置４９および表示制御部５０が、画像表示部５を構成する。
【００３２】
キーボード装置５１は、このクライアント装置ＣＬに種々のキー操作を行うためのものであり、画面指示装置５２は、ＣＲＴ画面表示装置４９の任意の点を指示する等の操作作業を行うためのものであり、入力制御部５３は、キーボード装置５１および画面指示装置５２の入力情報を取り込む等するためのものである。
【００３３】
これらのＣＰＵ４１、ＲＯＭ４２、ＲＡＭ４３、キャラクタジェネレータ４４、時計回路４５、ネットワーク伝送制御部４７、磁気ディスク装置４８、表示制御部５０、および、入力制御部５３は、内部バス５４に接続されており、これらの各要素間のデータのやりとりは、主としてこの内部バス５４を介して行われる。
【００３４】
ここで、カタログデータベース１に保存されるカタログデータについて説明する。このカタログデータには、１つの製品について、当該製品を構成する複数の部品（パーツ）のデータが含まれる。
【００３５】
図４は、１つのパーツについて形成されるカタログデータの一例を示している。
【００３６】
このカタログデータは、パーツ単体画像、パーツ組付図、パーツ組付拡大図、境界情報、パーツ名、部品番号、および、ユニット名からなる。
【００３７】
パーツ単体画像は、当該パーツの単体画像である。また、縮尺比率は各パーツにより異なり、なるべく大きくかつパーツ全体が表示される比率である。
【００３８】
パーツ組付図は、パーツごとに作成される画像で、そのパーツのみが強調表示され、他の全パーツは半透明描画やワイヤーフレーム描画など非強調表示される図である。ここで、視点は１方向だけではなく、必要に応じて複数視点からのパーツ組付図が作成される。縮尺比率は、同一視点方向であれば常に一定で、なるべく大きくかつ全パーツが表示される比率である。
【００３９】
パーツ組付図拡大図は、上記各パーツのパーツ組付図を拡大表示したものであり、最大比率ではそのパーツがなるべく大きくかつ全部表示される図である。最小比率では全パーツがなるべく大きくかつ全部表示される。必要に応じて複数枚の比率の異なるパーツ組付図が作成される。比率によらず常にそのパーツの全体が表示される。
【００４０】
境界情報は、各パーツのパーツ組付図およびパーツ組付拡大図において、そのパーツが画像中のどの位置にあるかを示す情報である。画像左上隅を原点（Ｘ＝０，Ｙ＝０）とし、Ｘは右方向に、Ｙは下方向に正に増加する座標系における、そのパーツがすべて収まる長方形の左上座標および右下座標の組み合わせである。
【００４１】
パーツ名は、当該パーツの名称をあらわす。
【００４２】
部品番号（発注番号）は、パーツごとに採番される番号である。同一形状のパーツは同一番号を持つ。
【００４３】
ユニット名は、パーツ集合の単位であるユニットの名称である。各パーツがどのユニットに属するかを示す。通常、すべてのパーツはいずれかのユニット（例えば、「給紙部」、「排紙部」など）に属する。
【００４４】
図５（ａ）は、カタログデータベース１に保存されるパーツＰＫについて、当該パーツＰＫを含むユニットの表示画像の一例を示し、同図（ｂ）は、パーツＰＫのパーツ単体画像の一例を示す。
【００４５】
また、図６（ａ）は、カタログデータベース１に保存されるパーツＰＰについて、当該パーツＰＰを含むユニットにおける当該パーツＰＰの組付けの様子を示すパーツ組付図の一例を示す。また、このパーツ組付図を表示する際、注目されるパーツＰＰのみをシェーディングおよび（例えば、赤いワイヤーフレームで）強調表示し、他のパーツを半透明描画することで、当該パーツの組付け位置を際だたせることができる。また、同図（ｂ）は、同一のパーツＰＰを別角度から見たときのパーツ組付図の一例を示す。また、図７（ａ）は、同一のパーツＰＰをさらに別角度から見たときのパーツ組付図の一例を示す。また、図７（ｂ）は、同一のパーツＰＰをさらに別角度から見たときのパーツ組付図の一例を示す。
【００４６】
このようにして、この場合は、パーツ組付図は、４態様作成される。このようにして、異なる角度から見た複数のパーツ組付図をあらかじめ形成しておくことで、カタログを閲覧する際に要する時間を、大幅に短縮することができる。
【００４７】
また、パーツＰＫについて、境界情報は、図８に示すように、パーツ単体画像を囲む長方形として作成される。
【００４８】
図９（ａ）は、クライアント装置ＣＬの画像表示部５に表示されるカタログ表示画面の一例を示している。
【００４９】
この表示画面には、部品の組付状態等の画像を表示するための表示領域ＤＤｃ、および、部品単体の画像を表示するための表示領域ＤＤｄが設けられている。
【００５０】
さて、クライアント装置ＣＬでカタログを参照する場合、まず、ユーザは、製品をあらわす型番などを入力して、クライアント装置ＣＬに表示を所望する製品の情報を入力する。
【００５１】
それにより、クライアント装置ＣＬは、サーバ装置ＳＶに接続し、ユーザから表示要求された製品の全体画像の情報の取得を要求する。サーバ装置ＳＶは、クライアント装置ＣＬより要求された製品の全体画像の画像データをカタログデータベース１より読み出し、クライアント装置ＣＬへ送信する。
【００５２】
これにより、図９（ａ）に示すように、表示領域ＤＤｃには、ユーザが表示を所望した製品の全体画像が表示される。
【００５３】
次に、ユーザは、例えば、交換対象となる部品が組み込まれている場所を、表示領域ＤＤｃに表示されている全体画像を参照して指定する。この指定は、まず、図９（ｂ）に示すように、選択領域ＳＳの枠を表示させる。この選択領域ＳＳは、ユーザの操作により、同図（ｃ）に示すように大きさを変更することができ、また、同図（ｄ）に示すように、移動することができる。
【００５４】
したがって、ユーザは、部品が組み込まれている場所を含むように選択領域ＳＳの大きさ、および、位置を設定する（図９（ｄ）参照）。その設定が完了すると、ユーザは、領域指定の完了をクライアント装置ＣＬへ指令する。
【００５５】
それにより、クライアント装置ＣＬは、サーバ装置ＳＶに対して、選択領域ＳＳの座標をあらわす情報を送信する。
【００５６】
サーバ装置ＳＶは、選択領域ＳＳの座標を受信すると、その座標に含まれる部品をカタログデータベース１より検索し、その検索により取得した部品の画像データや組付状態を表す画像データなどの情報をクライアント装置ＣＬへ送信する。
【００５７】
クライアント装置ＣＬは、サーバ装置ＳＶより部品の画像データや組付状態を表す画像データなどの情報を受信すると、表示領域ＤＤｄに受信した部品の画像や組付状態を表す画像を表示する。
【００５８】
このようにして、本実施例では、ユーザは表示領域ＤＤｃに表示されている全体画像から、参照したい部品の組付位置を含む領域を指定するだけで、所望する部品を表示させることができるので、非常に便利である。
【００５９】
なお、選択領域ＳＳについては、あらかじめ設定されている複数の大きさをユーザが任意に選択できるようにしても良いし、ユーザが任意の大きさを設定操作できるようにしても良い。
【００６０】
図１０は、この場合のサーバ装置ＳＶの処理の一例を示している。
【００６１】
まず、クライアント装置ＣＬより製品の全体画像の情報の取得が要求されると（処理１０１）、要求された製品の全体画像の画像データをカタログデータベース１より取得して、クライアント装置ＣＬへ送信する（処理１０２）。
【００６２】
次いで、クライアント装置ＣＬより選択領域の座標情報を受信すると（処理１０３）、その座標情報に含まれる部品のデータをカタログデータベース１を検索して取得し（処理１０４）、それによって取得した１つ以上の部品データをクライアント装置ＣＬへ送信する（処理１０５）。
【００６３】
図１１は、この場合のクライアント装置ＣＬの処理の一例を示している。
【００６４】
まず、ユーザが製品をあらわす型番などを入力すると、クライアント装置ＣＬは、サーバ装置ＳＶに接続し、ユーザから表示要求された製品の全体画像の情報の取得を要求する（処理２０１）。
【００６５】
これにより、サーバ装置ＳＶより、製品の全体画像の画像データを受信すると、その画像データを表示領域ＤＤｃに表示する（処理２０２）。
【００６６】
次いで、ユーザが選択領域ＳＳの表示操作を行うと、その操作により最終的に指定された選択領域ＳＳの座標を取得し（処理２０３）、その選択領域ＳＳの座標をサーバ装置ＳＶへ送信する（処理２０４）。
【００６７】
それにより、サーバ装置ＳＶから、選択領域ＳＳに含まれる部品のデータを受信するので（処理２０５）、その受信した部品データを表示領域ＤＤｄに表示する（処理２０６）。
【００６８】
ところで、クライアント装置ＣＬで選択領域ＳＳを指定する際、例えば、図１２（ａ）〜（ｅ）のような方法を採用することができる。この場合、選択領域ＳＳを設定した後（同図（ｂ）参照）、ユーザが表示領域ＤＤｃに表示している画像を拡大し（同図（ｃ）参照）、その拡大した状態で、表示領域を移動している（同図（ｄ）参照）。
【００６９】
最終的に、同図（ｅ）に示すような態様に選択領域ＳＳが設定されるので、このときの座標を元の全体画像の画像データに基づいて作成し、サーバ装置ＳＶへ通知する。
【００７０】
図１３は、本発明の他の実施例にかかるパーツカタログ表示システムの一例を示している。なお、同図において、図１と同一部分および相当する部分については、同一符号を付している。
【００７１】
本実施例では、クライアント装置ＣＬ’は無線通信端末装置（移動体通信端末装置）であり、したがって、クライアントインタフェース部７’は、無線通信網を介して、ネットワークＮＴに接続される。
【００７２】
また、本実施例では、クライアント装置ＣＬ’は、デジタルスチルカメラ装置等の画像入力部８を備えている。
【００７３】
本実施例のクライアント装置ＣＬ’の装置構成の一例を図１４に示す。
【００７４】
同図において、ＣＰＵ（中央処理装置）６１は、このクライアント装置ＣＬ’の動作制御を行うものであり、ＲＯＭ（リード・オンリ・メモリ）６２は、ＣＰＵ６１が起動時に実行するプログラムや必要なデータ等を記憶するためのものであり、ＲＡＭ（ランダム・アクセス・メモリ）６３は、ＣＰＵ６１のワークエリア等を構成するためのものである。
【００７５】
キャラクタジェネレータ６４は、図形文字の表示データを発生するためのものであり、時計回路６５は、現在日時情報を出力するためのものであり、無線通信部６６は、このクライアント装置ＣＬ’を無線通信網を介してネットワークＮＴに接続するためのものであり、通信制御部６７は、無線通信網およびネットワークＮＴを介して、サーバ装置ＳＶとの間で種々のデータをやりとりするための各種所定のプロトコルスイートの通信制御処理を実行するためのものである。
【００７６】
液晶画面表示装置６８は、このクライアント装置ＣＬ’を操作するための画面を表示するためのものであり、表示制御部６９は、液晶画面表示装置６８の表示内容を制御するためのものである。また、この液晶表示装置６８および表示制御部６９が、画像表示部６を構成する。
【００７７】
キーボード装置７０は、このクライアント装置ＣＬ’に種々のキー操作を行うためのものであり、画面指示装置７１は、液晶画面表示装置６８の任意の点を指示する等の操作作業を行うためのものであり、入力制御部７２は、キーボード装置７０および画面指示装置７１の入力情報を取り込む等するためのものである。なお、クライアント装置ＣＬ’として、いわゆる携帯電話を用いる場合、キーボード装置７０はテンキーに多少のファンクションキーを追加したような少ないキー数を備えるものである。また、画面指示装置７１としては、タッチパネル装置を用いることができるが、省略しても良い。
【００７８】
また、撮像部７３は、デジタルスチルカメラ装置等を構成するものであり、画像入力部８に相当する。
【００７９】
これらのＣＰＵ６１、ＲＯＭ６２、ＲＡＭ６３、キャラクタジェネレータ６４、時計回路６５、通信制御部６７、表示制御部６９、入力制御部７２、および、撮像部７３は、内部バス７４に接続されており、これらの各要素間のデータのやりとりは、主としてこの内部バス７４を介して行われる。
【００８０】
この場合のクライアント装置ＣＬ’の動作について、次に説明する。
【００８１】
まず、本実施例では、図１５（ａ）に示すような部品検索用の印刷紙ＰＰを用いる。この印刷紙ＰＰには、地紋を背景に線画にて表示した製品全体の画像が印刷されている。この背景の地紋は細かいドットパターンから構成され、ドットパターンの組によりどの領域か（座標）を判定することができる。
【００８２】
本実施例では、同図（ｂ）に示すように、クライアント装置ＣＬ’の撮像部７３で、目的とする部品が含まれる領域の印刷紙ＰＰを撮影し、その撮影して得た画像データをサーバ装置ＳＶへ送信する。また、このときクライアント装置ＣＬ’は、画像データの送信に先立って表示要求する製品の型番等の情報を通知する。
【００８３】
サーバ装置ＳＶでは、受信した画像データに含まれる地紋を解析して、クライアント装置ＣＬ’により指定された選択領域の座標を判定する。そして、指定された製品について、その座標に含まれる部品をカタログデータベース１より検索し、その検索により取得した部品の画像データや組付状態を表す画像データなどの情報と、要求された製品の全体画像の画像データ、および、解析した選択領域の座標データをクライアント装置ＣＬ’へ送信する。
【００８４】
このようにして、クライアント装置ＣＬ’は、サーバ装置ＳＶより部品の画像データや組付状態を表す画像データなどの情報、製品の全体画像の画像データ、および、選択領域の座標データを受信すると、図１５（ｃ）に示すように、表示領域ＤＤｃ’には、全体画像の画像データと選択領域をあらわす矩形の画像を表示するとともに、表示領域ＤＤｄ’に受信した部品の画像や組付状態を表す画像を表示する。
【００８５】
図１６は、この場合のサーバ装置ＳＶの処理の一例を示している。
【００８６】
まず、クライアント装置ＣＬ’より、接続要求を受信すると（処理３０１）、クライアント装置ＣＬ’より対象製品の型番等を受信し（処理３０２）、また、選択領域を撮影した画像データを受信する（処理３０３）。
【００８７】
これにより、サーバ装置ＳＶは、受信した画像データに含まれる地紋データを解析して、指定領域の座標を判定し（処理３０４）、次いで、カタログデータベース１から、判定した指定領域に含まれる部品を検索する（処理３０５）。
【００８８】
そして、対象製品の全体画像の画像データと、処理３０４で判定した選択領域の座標データ、および、処理３０５で検索して取得した部品データをクライアント装置ＣＬ’へ送信する（処理３０６）。
【００８９】
図１７は、この場合のクライアント装置ＣＬ’の処理の一例を示している。
【００９０】
まず、ユーザにより選択された製品情報をサーバ装置ＳＶへ通知し（処理４０１）、印刷紙ＰＰを撮影して得た画像データをサーバ装置へ送信する（処理４０２，４０３）。
【００９１】
次いで、サーバ装置ＳＶより、部品の画像データや組付状態を表す画像データなどの情報、製品の全体画像の画像データ、および、選択領域の座標データを受信すると、表示領域ＤＤｃ’には、全体画像の画像データと選択領域をあらわす矩形の画像を表示するとともに、表示領域ＤＤｄ’に受信した部品の画像や組付状態を表す画像を表示する（処理４０５）。
【００９２】
このようにして、本実施例では、無線通信端末装置であるクライアント装置ＣＬ’を用いて、製品のカタログデータベースを参照し、部品等を表示させることができるので、例えば、保守担当者が遠隔地へ赴いて製品を保守する際、非常に便利である。
【００９３】
なお、上述した実施例では、地紋を背景に線画にて表示した製品全体の画像が印刷された印刷紙ＰＰを用いて、製品の選択領域を指定できるようにしているが、図１８（ａ）に示すように、あるパターンを印刷した用紙ＰＫを用いることもできる。この用紙ＰＫに印刷する画像は、ドットパターンによる地紋でもよいし、あるいは、紙の上にどの領域かが識別できるパターン（例えば、ＱＲコード（商標）等）を規則正しく配置したものでもよい。この場合、製品全体画像を重ねて印刷する必要がないので、認識しやすいパターンを利用することが可能である。
【００９４】
この場合、図１８（ｂ）に示すように、クライアント装置ＣＬ’の撮像部７３で、目的とする部品が含まれる領域の用紙ＰＫを撮影し、その撮影して得た画像データをサーバ装置ＳＶへ送信する。また、このときクライアント装置ＣＬ’は、画像データの送信に先立って表示要求する製品の型番等の情報を通知する。
【００９５】
サーバ装置ＳＶでは、受信した画像データに含まれるドットパターン（または、ＱＲコード（商標））を解析して、クライアント装置ＣＬ’により指定された選択領域の座標を判定する。そして、指定された製品について、その座標に含まれる部品をカタログデータベース１より検索し、その検索により取得した部品の画像データや組付状態を表す画像データなどの情報と、要求された製品の全体画像の画像データ、および、解析した選択領域の座標データをクライアント装置ＣＬ’へ送信する。
【００９６】
このようにして、クライアント装置ＣＬ’は、サーバ装置ＳＶより部品の画像データや組付状態を表す画像データなどの情報、製品の全体画像の画像データ、および、選択領域の座標データを受信すると、図１８（ｃ）に示すように、表示領域ＤＤｃ’には、全体画像の画像データと選択領域をあらわす矩形の画像を表示するとともに、表示領域ＤＤｄ’に受信した部品の画像や組付状態を表す画像を表示する。
【００９７】
この場合、用紙ＰＫには製品全体画像を重ねて印刷する必要がないので、領域選択シートとして1枚だけ携帯しておけば、どの製品のカタログでも共通して利用することができる。
【００９８】
また、部品検索用の印刷紙としては、図１９（ａ）に示すように、製品全体画像そのものを印刷した用紙ＰＦを用いることができる。
【００９９】
この場合、図１９（ｂ）に示すように、クライアント装置ＣＬ’の撮像部７３で、目的とする部品が含まれる領域の用紙ＰＦを撮影し、その撮影して得た画像データをサーバ装置ＳＶへ送信する。また、このときクライアント装置ＣＬ’は、画像データの送信に先立って表示要求する製品の型番等の情報を通知する。
【０１００】
サーバ装置ＳＶでは、受信した画像データを、指定された製品の全体画像の画像データのどの部分であるか、例えば、パターンマッチング技術により判定し、その判定した部分を選択領域として認識する。そして、指定された製品について、その選択領域の座標に含まれる部品をカタログデータベース１より検索し、その検索により取得した部品の画像データや組付状態を表す画像データなどの情報と、要求された製品の全体画像の画像データ、および、解析した選択領域の座標データをクライアント装置ＣＬ’へ送信する。
【０１０１】
このようにして、クライアント装置ＣＬ’は、サーバ装置ＳＶより部品の画像データや組付状態を表す画像データなどの情報、製品の全体画像の画像データ、および、選択領域の座標データを受信すると、図１９（ｃ）に示すように、表示領域ＤＤｃ’には、全体画像の画像データと選択領域をあらわす矩形の画像を表示するとともに、表示領域ＤＤｄ’に受信した部品の画像や組付状態を表す画像を表示する。
【０１０２】
なお、この場合、製品全体画像そのものを印刷した用紙ＰＦを撮影した画像からは、もとの製品全体画像中のどこの部分かを検索しなければならない。この場合は、必ずしも正しく撮影領域を判定することができない場合も考えられるため、判定の確度に応じて、複数の選択肢を見つけ、利用者にどれが求めるものかを表示させ、利用者に確認させてもよい。
【０１０３】
また、検索結果として複数の部品が与えられている場合は、利用者のキー入力に従い、部品の単体表示画像と部品の組み付け状態表示画像の組を順番に表示することもできる。
【０１０４】
また、クライアント装置ＣＬ’に十分な記憶容量がない場合は、上記の検索結果はサーバ装置ＳＶに蓄積しておき、利用者のキー入力に従い、次の検索結果の部品の単体表示画像と部品の組み付け状態表示画像の組を得て表示するようにすることもできる。
【０１０５】
ところで、図２０（ａ）に示すように、実際の製品ＭＭに、各部の場所を示す情報（例えば、ＱＲコード（商標）やバーコード等）を印刷した紙片ＭＫ１，ＭＫ２を添付し、その紙片ＭＫ１，ＭＫ２をクライアント装置ＣＬ’の撮像部７３で撮影することで、部品検索をおこなってもよい（同図（ｂ），（ｃ）参照）。
【０１０６】
通常は、この紙片ＭＫ１，ＭＫ２は製品内部やカバー裏等の目立たない場所に添付する。
【０１０７】
なお、上述した実施例では、クライアント・サーバシステムにより、本発明のカタログ表示システムを構成しているが、単体のシステムで構成することもできる。
【図面の簡単な説明】
【０１０８】
【図１】本発明の一実施例にかかるパーツカタログ表示システムの一例を示したブロック図。
【図２】サーバ装置ＳＶの装置構成の一例を示したブロック図。
【図３】クライアント装置ＣＬの装置構成の一例を示したブロック図。
【図４】カタログデータの一例を示した概略図。
【図５】ユニット表示およびパーツ単体表示の一例を示した概略図。
【図６】パーツ組付け図の２態様を示した概略図。
【図７】パーツ組付け図の他の２態様を示した概略図。
【図８】境界情報計測について例示した概略図。
【図９】クライアント装置ＣＬの画像表示部５に表示されるカタログ表示画面の一例を示した概略図。
【図１０】サーバ装置ＳＶの処理の一例を示したフローチャート。
【図１１】クライアント装置ＣＬの処理の一例を示したフローチャート。
【図１２】クライアント装置ＣＬの画像表示部５に表示されるカタログ表示画面の他の例を示した概略図。
【図１３】本発明の他の実施例にかかるパーツカタログ表示システムの一例を示したブロック図。
【図１４】クライアント装置ＣＬ’の装置構成の一例を示したブロック図。
【図１５】クライアント装置ＣＬ’を用いてカタログを表示する際の一例を示した概略図。
【図１６】サーバ装置ＳＶの処理の他の例を示したフローチャート。
【図１７】クライアント装置ＣＬ’の処理の一例を示したフローチャート。
【図１８】クライアント装置ＣＬ’を用いてカタログを表示する際の他の例を示した概略図。
【図１９】クライアント装置ＣＬ’を用いてカタログを表示する際のさらに他の例を示した概略図。
【図２０】クライアント装置ＣＬ’を用いてカタログを表示する際のまたさらに他の例を示した概略図。
【符号の説明】
【０１０９】
ＳＶ  サーバ装置
ＣＬ，ＣＬ’  クライアント装置
１  カタログデータベース
２  部品検索部
３  サーバインタフェース部
５  画像表示部
６  領域指定部
７，７’  クライアントインタフェース部
８  画像入力部
【図１】
2007316832.tif 000003
【図２】
2007316832.tif 000004
【図３】
2007316832.tif 000005
【図４】
2007316832.tif 000006
【図５】
2007316832.tif 000007
【図６】
2007316832.tif 000008
【図７】
2007316832.tif 000009
【図８】
2007316832.tif 000010
【図９】
2007316832.tif 000011
【図１０】
2007316832.tif 000012
【図１１】
2007316832.tif 000013
【図１２】
2007316832.tif 000014
【図１３】
2007316832.tif 000015
【図１４】
2007316832.tif 000016
【図１５】
2007316832.tif 000017
【図１６】
2007316832.tif 000018
【図１７】
2007316832.tif 000019
【図１８】
2007316832.tif 000020
【図１９】
2007316832.tif 000021
【図２０】
2007316832.tif 000022